(57)【要約】【課題】  同期信号の乱れによってブランキング期間の映像が有効映像期間内に表示される場合においても、当該ブランキング期間の映像を目立たない色で表示することができ、ひいては表示品質を向上することができる「映像表示装置および映像表示方法」を提供すること。【解決手段】  転送装置から転送されたデジタル映像信号をＲＧＢ変換して表示可能とされた映像表示装置において、転送装置が、ブランキング期間における色信号と輝度信号とをグレイに対応する値にして転送すること。【選択図】      図１
2006080727.tif 000002
【特許請求の範囲】
【請求項１】
色信号および輝度信号からなるデジタル映像信号を、有効映像期間およびブランキング期間の双方において、水平方向同期信号および垂直方向同期信号に同期させるようにして転送する転送装置を備え、
前記転送装置から転送されたデジタル映像信号をＲＧＢ変換して表示可能とされた映像表示装置において、
前記転送装置は、ブランキング期間における色信号と輝度信号とをグレイに対応する値にして転送することを特徴とする映像表示装置。
【請求項２】
前記転送装置は、ブランキング期間における色信号の値を色がない基準値とし、輝度信号を前記基準値と同一の値にして転送することを特徴とする請求項１に記載の映像表示装置。
【請求項３】
前記転送装置は、前記水平方向同期信号および前記垂直方向同期信号の少なくとも一方の乱れが許容値以上になった場合に、前記ブランキング期間における色信号と輝度信号とをグレイに対応する値にし、前記乱れが許容値に満たない場合には、前記ブランキング期間における色信号と輝度信号とを黒色に対応する値にすることを特徴とする請求項１または請求項２に記載の映像表示装置。
【請求項４】
色信号および輝度信号からなるデジタル映像信号を、有効映像期間およびブランキング期間の双方において、水平方向同期信号および垂直方向同期信号に同期させるようにして転送し、この転送したデジタル映像信号をＲＧＢ変換して表示する映像表示方法において、
ブランキング期間における色信号と輝度信号とをグレイに対応する値にして転送することを特徴とする映像表示方法。
【請求項５】
ブランキング期間における色信号の値を色がない基準値とし、輝度信号を前記基準値と同一の値にして転送することを特徴とする請求項４に記載の映像表示方法。
【請求項６】
前記水平方向同期信号および前記垂直方向同期信号の少なくとも一方の乱れが許容値以上になった場合に、前記ブランキング期間における色信号と輝度信号とをグレイに対応する値にし、前記乱れが許容値に満たない場合には、前記ブランキング期間における色信号と輝度信号とを黒色に対応する値にすることを特徴とする請求項４または請求項５に記載の映像表示方法。
【発明の詳細な説明】
【技術分野】
【０００１】
本発明は、映像表示装置および映像表示方法に係り、特に、同期信号に同期して送信されたデジタル映像信号をＲＧＢ変換して表示するのに好適な映像表示装置および映像表示方法に関する。
【背景技術】
【０００２】
近年、車載用のナビゲーション装置においては、テレビチューナを搭載することによって、テレビチューナによって受信したテレビ放送の映像を映像表示装置の表示画面に表示することが行われるようになった。
【０００３】
図６は、このような映像表示装置１の一例を示したものであり、この映像表示装置１は、テレビチューナ２を有しており、このテレビチューナ２は、マイコン３によるチャンネル制御によって、所望のテレビの映像信号を受信するようになっている。
【０００４】
テレビチューナ２は、受信されたテレビの映像信号をアナログ映像信号であるアナログＮＴＳＣ信号として出力するようになっている。
【０００５】
テレビチューナ２の出力側には、映像デコーダＩＣ４が接続されており、この映像デコーダＩＣ４は、テレビチューナ２から出力されたアナログＮＴＳＣ信号を入力するようになっている。
【０００６】
そして、映像デコーダＩＣ４は、入力されたアナログの映像信号を符号化してデジタル映像信号であるデジタルＹＵＶ信号として出力するようになっている。
【０００７】
映像デコーダＩＣ４の出力側には、グラフィックＬＳＩ５が接続されており、このグラフィックＬＳＩ５は、映像デコーダＩＣ４から出力されたデジタルＹＵＶ信号を入力するようになっている。
【０００８】
そして、グラフィックＬＳＩ５は、入力されたデジタルＹＵＶ信号に適宜加工を施した後に出力するようになっている。
【０００９】
グラフィックＬＳＩ５から出力されたデジタルＹＵＶ信号は、Ｄ／Ａ（デジタル・アナログ変換器）６によって復号化された後に、ＲＧＢ変換素子７によってＲＧＢ変換され、最後に、液晶表示部８に表示されるようになっている。
【００１０】
なお、Ｄ／Ａ６及びＲＧＢ変換素子７の順番は前後が逆になる場合もあり、また、グラフィックＬＳＩ５に内蔵されている場合もある。
【００１１】
ここで、映像デコーダＩＣ４等によって転送されるデジタル映像信号の内容は、図７に示すように、色信号であるＣ信号と、輝度信号であるＹ信号とを多重させたものであり、これらＣ信号とＹ信号とは、図７に示す水平方向同期信号および垂直方向同期信号（図示せず）に同期させるように転送されていた。
【００１２】
また、データ転送の方法としては、実際に表示される有効映像期間のデータだけを転送する場合や、実際には表示されないブランキング期間のデータも含めて転送する場合など、データの転送のフォーマットは種々存在していた。
【００１３】
その中で、ブランキング期間のデータも転送する場合には、図８に示す水平方向の水平ブランキング期間、垂直方向の垂直ブランキング期間において、それぞれ、水平方向同期信号、垂直方向同期信号に同期させるようにして黒色に対応するデジタル映像信号を転送するようになっていた。図９に示すように、黒色に対応するデジタル映像信号は、使用する変換式にもよるが、Ｃ信号とＹ信号との間で互いに値が異なっている。なお、図９においては、Ｃ信号が色がない値（８０ｈ）、Ｙ信号が輝度がない値（１０ｈ）となっている。
【００１４】
ここで、ブランキング期間のデータは、通常は、表示範囲外すなわち有効映像領域外となり、また、受信側でブランキング期間を認識してデータが破棄または付け替えされるため、表示されることはない。
【００１５】
しかし、テレビ信号などにおいては、弱電界等の影響によって通常とは異なる状態が起こる場合がある。
【００１６】
そのような状態が起こる場合、映像データに付加して送られる同期信号などが通常の周期や周波数から変動して乱れることによって、ブランキング期間の映像が有効映像期間内に有効映像領域に表示されてしまう場合がある。すなわち、図１０に示すように、水平方向同期信号が乱れた場合には、ライン単位に水平ブランキング期間が、垂直方向同期信号が乱れた場合には、数ラインまとめて垂直ブランキング期間が表示されることになる。
【００１７】
そこで、前述のように、黒色に対応するデジタル映像信号をブランキング期間に転送すれば、弱電界等の影響によって映像が乱れ、ブランキング期間の黒色が有効映像期間内において多少表示されたとしても、違和感が無く、特に、色切れしているような状態では全く問題とならない。
【００１８】
【特許文献１】特開２０００−１２５１５０号公報
【発明の開示】
【発明が解決しようとする課題】
【００１９】
しかしながら、同期信号の乱れが大きく頻度も激しい場合、映像データの受け手側の回路構成によっては、多重されたＣ信号とＹ信号との順番を誤認し、Ｃ信号をＹ信号、Ｙ信号をＣ信号として表示してしまう場合がある。
【００２０】
たとえば、図１１に示すように、ブランキング期間において、黒色に対応するデジタル映像信号におけるＣ信号とＹ信号とが互いに入れ替わって誤認された場合には、緑色が表示されてしまう。
【００２１】
通常、このようなＣ信号とＹ信号との入れ替わりは、ライン単位に起こり、それが表示された場合には、図１２に示すように、有効映像領域内に水平方向に緑色等の有彩色（図中のメッシュ部参照）がついたラインが飛ぶように表示されることになる。
【００２２】
そして、弱電界の発生時等の故障ではないときに、このような有彩色のラインが表示された場合、黒色に比べて非常に目立つことになり、故障等の印象を与えてしまう。
【００２３】
そこで、本発明は、このような点に鑑みなされたものであり、同期信号の乱れによってブランキング期間の映像が有効映像期間内に表示される場合においても、当該ブランキング期間の映像を目立たない色で表示することができ、ひいては表示品質を向上させることができる映像表示装置および映像表示方法を提供することを目的とするものである。
【課題を解決するための手段】
【００２４】
前述した目的を達成するため、本発明に係る映像表示装置の特徴は、色信号および輝度信号からなるデジタル映像信号を、有効映像期間およびブランキング期間の双方において、水平方向同期信号および垂直方向同期信号に同期させるようにして転送する転送装置を備え、前記転送装置から転送されたデジタル映像信号をＲＧＢ変換して表示可能とされた映像表示装置において、前記転送装置が、ブランキング期間における色信号と輝度信号とをグレイに対応する値にして転送する点にある。
【００２５】
そして、このような構成によれば、転送装置によって、ブランキング期間の映像の色をグレイにすることが可能となる。
【００２６】
また、本発明に係る映像表示装置の特徴は、転送装置が、ブランキング期間における色信号の値を色がない基準値とし、輝度信号を前記基準値と同一の値にして転送する点にある。
【００２７】
そして、このような構成によれば、グレイに対応する輝度信号と色信号とが互いに同一の値とされていることによって、輝度信号と色信号とが互いに入れ替わるように誤認されたとしても、入れ替わりによって表示される色を当初と同じグレイにすることが可能となる。
【００２８】
さらに、本発明に係る映像表示装置の特徴は、転送装置が、水平方向同期信号および垂直方向同期信号の少なくとも一方の乱れが許容値以上になった場合に、ブランキング期間における色信号と輝度信号とをグレイに対応する値にし、前記乱れが許容値に満たない場合には、ブランキング期間における色信号と輝度信号とを黒色に対応する値にする点にある。
【００２９】
そして、このような構成によれば、同期信号の乱れが、色信号と輝度信号との順番の誤認を生じさせない程度に過ぎない場合には、ブランキング期間の映像が表示されたとしても、当該映像を黒色によって表示することが可能となる。一方、同期信号の乱れが、輝度信号と色信号との順番が誤認されてしまうほど大きい場合には、ブランキング期間の映像の色をグレイに変えることが可能となる。
【００３０】
さらにまた、本発明に係る映像表示方法の特徴は、色信号および輝度信号からなるデジタル映像信号を、有効映像期間およびブランキング期間の双方において、水平方向同期信号および垂直方向同期信号に同期させるようにして転送し、この転送したデジタル映像信号をＲＧＢ変換して表示する映像表示方法において、ブランキング期間における色信号と輝度信号とをグレイに対応する値にして転送する点にある。
【００３１】
そして、このような方法によれば、ブランキング期間の映像の色をグレイにすることが可能となる。
【００３２】
また、本発明に係る映像表示方法の特徴は、ブランキング期間における色信号の値を色がない基準値とし、輝度信号を前記基準値と同一の値にして転送する点にある。
【００３３】
そして、このような方法によれば、グレイに対応する輝度信号と色信号とが互いに同一の値とされていることによって、輝度信号と色信号とが互いに入れ替わるように誤認されたとしても、入れ替わりによって表示される色を当初と同じグレイにすることが可能となる。
【００３４】
さらに、本発明に係る映像表示方法の特徴は、水平方向同期信号および垂直方向同期信号の少なくとも一方の乱れが許容値以上になった場合に、ブランキング期間における色信号と輝度信号とをグレイに対応する値にし、前記乱れが許容値に満たない場合には、前記ブランキング期間における色信号と輝度信号とを黒色に対応する値にする点にある。
【００３５】
そして、このような方法によれば、同期信号の乱れが、色信号と輝度信号との順番の誤認を生じさせない程度に過ぎない場合には、ブランキング期間の映像が表示されたとしても、当該映像を黒色によって表示することが可能となる。一方、同期信号の乱れが、輝度信号と色信号との順番が誤認されてしまうほど大きい場合には、ブランキング期間の映像の色をグレイに変えることが可能となる。
【発明の効果】
【００３６】
本発明に係る映像表示装置によれば、転送装置によって、ブランキング期間の映像の色をグレイにすることができる結果、同期信号の乱れによってブランキング期間の映像が有効映像期間内に表示されたとしても、当該ブランキング期間の映像を目立たない色で表示することができ、ひいては表示品質を向上させることができる。
【００３７】
また、本発明に係る映像表示装置によれば、グレイに対応する輝度信号と色信号とが互いに同一の値とされていることによって、輝度信号と色信号とが互いに入れ替わるように誤認されたとしても、入れ替わりによって表示される色を当初と同じグレイにすることができる結果、さらに適切に同期信号の乱れによる有効映像期間内に表示されるブランキング期間の映像を目立たなくすることができる。
【００３８】
さらに、本発明に係る映像表示装置によれば、同期信号の乱れが、色信号と輝度信号との順番の誤認を生じさせない程度に過ぎない場合には、ブランキング期間の映像が表示されたとしても、当該映像を黒色によって表示することができ、一方、同期信号の乱れが、輝度信号と色信号との順番が誤認されてしまうほど大きい場合には、ブランキング期間の映像の色をグレイに変えることができる結果、同期信号の乱れによる有効映像期間内に表示されるブランキング期間の映像をさらに目立たなくすることができる。
【００３９】
さらにまた、本発明に係る映像表示方法によれば、ブランキング期間の映像の色をグレイにすることができる結果、同期信号の乱れによってブランキング期間の映像が有効映像期間内に表示されたとしても、当該ブランキング期間の映像を目立たない色で表示することができ、ひいては表示品質を向上させることができる。
【００４０】
また、本発明に係る映像表示方法によれば、グレイに対応する輝度信号と色信号とが互いに同一の値とされていることによって、輝度信号と色信号とが互いに入れ替わるように誤認されたとしても、入れ替わりによって表示される色を当初と同じグレイにすることができる結果、さらに適切に同期信号の乱れによる有効映像期間内に表示されるブランキング期間の映像を目立たなくすることができる。
【００４１】
さらに、本発明に係る映像表示方法によれば、同期信号の乱れが、色信号と輝度信号との順番の誤認を生じさせない程度に過ぎない場合には、ブランキング期間の映像が表示されたとしても、当該映像を黒色によって表示することができ、一方、同期信号の乱れが、輝度信号と色信号との順番が誤認されてしまうほど大きい場合には、ブランキング期間の映像の色をグレイに変えることができる結果、同期信号の乱れによる有効映像期間内に表示されるブランキング期間の映像をさらに目立たなくすることができる。
【発明を実施するための最良の形態】
【００４２】
以下、本発明に係る映像表示装置の実施形態について、図１および図２を参照して説明する。
【００４３】
図１に示すように、本実施形態における映像表示装置１０は、テレビチューナ２を有しており、このテレビチューナ２は、水平方向同期信号、垂直方向同期信号に同期させるようにして、例えばコンポジット・ビデオ信号やアナログＲＧＢ信号等のアナログ映像信号を出力するようになっている。さらに、テレビチューナ２は、受信電界強度を出力するようになっている。
【００４４】
テレビチューナ２の出力側には、映像処理／同期分離部１１が接続されており、この映像処理／同期分離部１１には、テレビチューナ２から出力されたアナログ映像信号および同期信号が別に出力される場合には同期信号が入力されるようになっている。
【００４５】
そして、映像処理／同期分離部１１は、入力されたアナログ映像信号をデジタル映像信号に変換し、また、デジタル映像信号、水平方向同期信号および垂直方向同期信号を互いに分離する等の映像処理を行うようになっている。
【００４６】
映像処理／同期分離部１１は、前記分離したデジタル映像信号、水平方向同期信号および垂直方向同期信号を出力するようになっている。
【００４７】
映像処理／同期分離部１１の出力側には、転送装置としてのブランキング期間色処理部１２が接続されており、このブランキング期間色処理部１２は、映像処理／同期分離部１１から出力されたデジタル映像信号、水平方向同期信号および垂直方向同期信号を入力するようになっている。
【００４８】
なお、前述のように、映像処理／同期分離部１１においてアナログ映像信号をデジタル映像信号に変換する代わりに、ブランキング期間色処理部１２においてアナログ映像信号をデジタル映像信号に変換するようにしてもよい。
【００４９】
ここで、前記デジタル映像信号は、図２に示すようにＣ信号とＹ信号とが多重されたものとなるが、本実施形態において、ブランキング期間色処理部１２は、ブランキング期間におけるＣ信号とＹ信号とをグレイに対応する値にして転送するようになっている。
【００５０】
これにより、弱電界等の影響によって有効映像期間内にブランキング期間の映像が表示されてしまっても、その映像を目立ちにくいグレイによって表示することができる。
【００５１】
また、本実施形態において、ブランキング期間色処理部１２は、ブランキング期間の映像の色をグレイにするために、ブランキング期間におけるＣ信号の値を色がない基準値とし、Ｙ信号を前記基準値と同一の値にして転送するようになっている。図２においては、Ｃ信号の値を基準値８０ｈとし、この基準値にＹ信号の値８０ｈを合わせている。
【００５２】
これにより、弱電界等の影響によってＣ信号とＹ信号とが互いに入れ替わるように誤認されたとしても、入れ替わりによって表示される色を当初と同じグレイにすることができる。
【００５３】
なお、図３に示すように、水平ブランキング期間の映像および垂直ブランキング期間の映像の双方をグレイにするようにしてもよい。また、これに限らず、図４に示すように、水平ブランキング期間の映像のみをグレイにし、垂直ブランキング期間の映像を黒色にしてもよい。逆に、垂直ブランキング期間の映像のみをグレイにし、垂直ブランキング期間の映像を黒色にしてもよい。
【００５４】
上記構成に加えて、さらに、本実施形態においては、水平方向同期信号および垂直方向同期信号の乱れを判定し、判定結果をブランキング期間の映像に反映させることができるようになっている。
【００５５】
すなわち、図１に戻って、テレビチューナ２の出力側には、映像入力レベル監視部１４が接続されており、この映像入力レベル監視部１４には、テレビチューナ２から出力され映像処理／同期分離部１１に入力されるアナログ映像信号と同一のアナログ映像信号が入力されるようになっている。
【００５６】
そして、映像入力レベル監視部１４は、入力されたアナログ映像信号のレベルを監視して、監視結果を出力するようになっている。
【００５７】
また、テレビチューナ２の出力側には、入力側同期信号周期監視部１５が接続されており、この入力側同期信号周期監視部１５には、テレビチューナ２から出力され映像処理／同期分離部１１に入力される水平方向同期信号および垂直方向同期信号と同一の同期信号が入力されるようになっている。
【００５８】
そして、入力側同期信号周期監視部１５は、入力された水平方向同期信号および垂直方向同期信号の周期を監視して、監視結果を出力するようになっている。
【００５９】
さらに、映像処理／同期分離部１１の出力側には、出力側同期信号周期監視部１６が接続されており、この出力側同期信号周期監視部１６には、映像処理／同期分離部１１から出力されブランキング期間色処理部１２に入力される水平方向同期信号および垂直方向同期信号と同一の同期信号が入力されるようになっている。
【００６０】
そして、出力側同期信号周期監視部１６は、入力された水平方向同期信号および水平方向同期信号の周期を監視して、監視結果を出力するようになっている。
【００６１】
さらにまた、テレビチューナ２の出力側には、乱れ判定部１８が接続されており、この乱れ判定部１８には、テレビチューナ２から出力された受信電界強度が入力されるようになっている。
【００６２】
また、乱れ判定部１８の入力側には、前述した映像入力レベル監視部１４、入力側同期信号周期監視部１５および出力側同期信号周期監視部１６がそれぞれ接続されており、各監視部１４，１５，１６から出力された監視結果が入力されるようになっている。
【００６３】
乱れ判定部１８は、前記受信電界強度や前記各監視結果といった入力情報に基づいて、水平方向同期信号および垂直方向同期信号の乱れが、Ｃ信号とＹ信号との誤認を生じさせる許容値以上であるか否かを判定し、判定結果をブランキング期間色処理部１２に対して出力するようになっている。
【００６４】
なお、乱れ判定部１８は、すべての入力情報に基づいて判定を行うようにしてもよいし、また、すべての入力情報のうちの１つ（例えば、受信電界強度のみ）あるいは複数の入力情報等の一部の入力情報に基づいて判定を行うようにしてもよい。
【００６５】
そして、ブランキング期間色処理部１２は、乱れ判定部１８の判定結果から、水平方向同期信号および垂直方向同期信号の乱れが許容値以上になった場合に、ブランキング期間におけるＣ信号とＹ信号とをグレイに対応する値にするようになっている。
【００６６】
一方、ブランキング期間色処理部１２は、前記乱れが許容値に満たない場合には、ブランキング期間におけるＣ信号とＹ信号とを黒色に対応する値にするようになっている。
【００６７】
これにより、本来、ブランキング期間の映像が、Ｃ信号とＹ信号との誤認が生じさえしなければ黒色であることが好ましいところ、水平方向同期信号および垂直方向同期信号の乱れがＣ信号とＹ信号との誤認を生じさせる許容値に満たない場合には、ブランキング期間の映像を好ましいとされる黒色にすることができる。
【００６８】
また、図示はしないが、ブランキング期間色処理部１２の出力側には、ブランキング期間色処理部１２から出力されたデジタル映像信号をＲＧＢ変換して表示するためのＲＧＢ変換素子や液晶表示部等の構成部が接続されている。
【００６９】
また、上記の構成に限る必要はなく、水平方向同期信号および垂直方向同期信号の乱れの大きさを問わず、ブランキング期間の映像をすべてグレイで表示するように構成してもよい。
【００７０】
次に、本発明に係る映像表示方法の実施形態について、図５を参照して説明する。
【００７１】
なお、本実施形態における映像表示方法は、便宜上、前述した映像表示装置１０を用いて実行する。
【００７２】
本実施形態においては、映像表示のための処理を開始した後、まず、図５のステップ１（ＳＴ１）において、水平方向同期信号および垂直方向同期信号の乱れに基づいてブランキング期間の映像の制御を行うか否かを選択する。
【００７３】
そして、ステップ１（ＳＴ１）においては、各同期信号の乱れに基づいて制御を行う場合にはステップ２（ＳＴ２）に進み、乱れには基づかずに画一的な制御を行う場合には、ステップ６（ＳＴ６）に進む。
【００７４】
ステップ２（ＳＴ２）において、乱れ判定部１８は、テレビチューナ２、映像入力レベル監視部１４、入力側同期信号周期監視部１５および出力側同期信号周期監視部１６からの入力情報を得ることによって、水平方向同期信号および垂直方向同期信号の乱れの判定の準備を行う。
【００７５】
続くステップ３（ＳＴ３）において、乱れ判定部１８は、入力情報の全部あるいは一部に基づいて、水平方向同期信号および垂直方向同期信号の乱れが許容値以上であるか否かを判定し、乱れが許容値以上である場合にはステップ４（ＳＴ４）に進み、許容値に満たない場合にはステップ５（ＳＴ５）に進む。
【００７６】
ステップ４（ＳＴ４）においては、ブランキング期間色処理部１２によって、ブランキング期間におけるＣ信号とＹ信号とをグレイに対応する値にする。具体的には、Ｃ信号の値を色のない基準値とし、Ｙ信号の値を当該基準値と同一の値に合わせる。
【００７７】
これにより、ブランキング期間の映像が有効映像期間内に表示されることになっても、当該映像を目立たないグレイによって表示することができる。
【００７８】
一方、ステップ５（ＳＴ５）においては、ブランキング期間色処理部１２によって、ブランキング期間におけるＣ信号とＹ信号とを黒色に対応する値にする。
【００７９】
ステップ６（ＳＴ６）においては、ブランキング期間における映像をグレイにするか否かを選択し、グレイにする場合はステップ７（ＳＴ７）に進み、グレイにしない場合にはステップ８（ＳＴ８）に進む。
【００８０】
ステップ７（ＳＴ７）においては、ブランキング期間におけるＣ信号とＹ信号とをグレイに対応する値にする。
【００８１】
一方、ステップ８（ＳＴ８）においては、ブランキング期間におけるＣ信号とＹ信号とを黒色に対応する値にする。
【００８２】
以上述べたように、本実施形態によれば、ブランキング期間における表示をグレイにすることができる結果、同期信号の乱れによってブランキング期間の映像が有効映像期間内に表示されたとしても、当該ブランキング期間の映像を目立たない色で表示することができ、ひいては表示品質を向上することができる。
【００８３】
なお、本発明は、前述した実施の形態に限定されるものではなく、必要に応じて種々の変更が可能である。
【００８４】
例えば、ブランキング期間の映像の色処理は、前述したブランキング期間色処理部１２のようなハードウェアを用いて行うことができるが、これに限らず、デジタル映像信号をソフト的に変更できるレジスタを持ち、同期信号の乱れの状態を検出してソフト設定でブランキング期間の色を変更するようにしてもよい。
【図面の簡単な説明】
【００８５】
【図１】本発明に係る映像表示装置の実施形態を示すブロック図
【図２】本発明に係る映像表示装置の実施形態においてブランキング期間におけるＣ信号およびＹ信号を水平方向同期信号とともに示す図
【図３】本発明に係る映像表示装置の実施形態においてブランキング期間の映像の表示状態の一例を示す図
【図４】本発明に係る映像表示装置の実施形態においてブランキング期間の映像の表示状態の図３と異なる他の一例を示す図
【図５】本発明に係る映像表示方法の実施形態を示すフローチャート
【図６】従来から採用されている映像表示装置の一例を示すブロック図
【図７】Ｃ信号およびＹ信号によって構成されているデジタル映像信号を水平方向同期信号とともに示す図
【図８】有効映像領域およびブランキング期間を示す概念図
【図９】従来の映像表示方法におけるブランキング期間のＣ信号およびＹ信号を示す図
【図１０】従来の映像表示方法における同期信号の乱れが大きくない場合のブランキング期間の映像の表示状態の一例を示す示す図
【図１１】従来の映像表示方法におけるブランキング期間のＣ信号とＹ信号とが入れ替わって認識された状態を示す図
【図１２】図１１の場合におけるブランキング期間の映像の表示状態を示す図
【符号の説明】
【００８６】
１０  映像表示装置
１２  ブランキング期間色処理部
１８  乱れ判定部
【図１】
2006080727.tif 000003
【図２】
2006080727.tif 000004
【図３】
2006080727.tif 000005
【図４】
2006080727.tif 000006
【図５】
2006080727.tif 000007
【図６】
2006080727.tif 000008
【図７】
2006080727.tif 000009
【図８】
2006080727.tif 000010
【図９】
2006080727.tif 000011
【図１０】
2006080727.tif 000012
【図１１】
2006080727.tif 000013
【図１２】
2006080727.tif 000014